(57)【要約】【課題】掃除機本体が吸込口体の動きに十分に追随し、ユーザーの手首にかかる負担を軽減する電気掃除機を提供すること。【解決手段】可撓性のホースを介して接続された第１掃除ユニットおよび第２掃除ユニットからなる電気掃除機であって、前記第１掃除ユニットは、吸込口体と、前記吸込口体に接続した接続パイプと、ハンドルとを備え、前記第２掃除ユニットは、前記吸込口体から空気を吸引する電動送風機と、前記電動送風機を駆動する電源部と、車輪とを備え、前記第１掃除ユニットおよび前記第２掃除ユニットは、可撓性のホースを介して接続され、前記接続パイプは、前記吸込口体の動きに合わせて前記第２掃除ユニットを着脱可能に牽引保持する牽引保持部を備え、前記牽引保持部は、前記吸込口体の進行方向に対して水平方向に回動可能に前記第２掃除ユニットを牽引することを特徴とする電気掃除機。【選択図】図９
2017158648.tif 000002
【特許請求の範囲】
【請求項１】
可撓性のホースを介して接続された第１掃除ユニットおよび第２掃除ユニットからなる電気掃除機であって、
前記第１掃除ユニットは、吸込口体と、前記吸込口体に接続した接続パイプと、ハンドルとを備え、
前記第２掃除ユニットは、前記吸込口体から空気を吸引する電動送風機と、前記電動送風機を駆動する電源部と、車輪とを備え、
前記第１掃除ユニットおよび前記第２掃除ユニットは、可撓性のホースを介して接続され、
前記接続パイプは、前記吸込口体の動きに合わせて前記第２掃除ユニットを着脱可能に牽引保持する牽引保持部を備え、
前記牽引保持部は、前記吸込口体の進行方向に対して水平方向に回動可能に前記第２掃除ユニットを牽引することを特徴とする電気掃除機。
【請求項２】
前記牽引保持部は、水平面に対して垂直方向に回動し、前記車輪が床面に接地したまま前記第２掃除ユニットを牽引する請求項１に記載の電気掃除機。
【請求項３】
前記牽引保持部は、前記吸込口体の進行方向に対して水平方向の前記第２掃除ユニットの回動可能範囲を規制する第１規制部を備えた請求項１に記載の電気掃除機。
【請求項４】
前記牽引保持部は、水平面に対して垂直方向の回動可能範囲を規制する第２規制部を備えた請求項２に記載の電気掃除機。
【請求項５】
前記車輪は、自走機能を有する請求項１〜４のいずれか１つに記載の電気掃除機。
【請求項６】
前記車輪は、水平方向に自在に移動可能な自在式の車輪である、請求項１〜５のいずれか１つに記載の電気掃除機。
【発明の詳細な説明】
【技術分野】
【０００１】
この発明は、電気掃除機に関する。
【背景技術】
【０００２】
従来の電気掃除機として、吸込み口体と掃除機本体とが別個に移動するキャニスタータイプか、あるいは吸込み口体と掃除機本体とが一体に移動するアップライトタイプのいずれかの使用形態を選択でき、いずれの使用形態においても、容易な移動および操作ができる電気掃除機が提案されている（例えば、特許文献１を参照）。
【先行技術文献】
【特許文献】
【０００３】
【特許文献１】特開２００３−２６５３８１号公報
【発明の概要】
【発明が解決しようとする課題】
【０００４】
しかしながら、特許文献１の電気掃除機のように、アップライトタイプの使用形態を構成したとき、掃除機本体が吸込口体の動きに十分に追随できないため、ユーザーの手首に大きな負担をかけることがある。
【０００５】
この発明は、このような課題に鑑みなされたものであり、掃除機本体が吸込口体の動きに十分に追随し、ユーザーの手首にかかる負担を軽減する電気掃除機を提供することを目的とする。
【課題を解決するための手段】
【０００６】
この発明によれば、可撓性のホースを介して接続された第１掃除ユニットおよび第２掃除ユニットからなる電気掃除機であって、前記第１掃除ユニットは、吸込口体と、前記吸込口体に接続した接続パイプと、ハンドルとを備え、前記第２掃除ユニットは、前記吸込口体から空気を吸引する電動送風機と、前記電動送風機を駆動する電源部と、車輪とを備え、前記第１掃除ユニットおよび前記第２掃除ユニットは、可撓性のホースを介して接続され、前記接続パイプは、前記吸込口体の動きに合わせて前記第２掃除ユニットを着脱可能に牽引保持する牽引保持部を備え、前記牽引保持部は、前記吸込口体の進行方向に対して水平方向に回動可能に前記第２掃除ユニットを牽引することを特徴とする電気掃除機が提供される。
【発明の効果】
【０００７】
この発明の電気掃除機によれば、掃除機本体が吸込口体の動きに十分に追随し、ユーザーの手首にかかる負担を軽減する電気掃除機を実現できる。
【図面の簡単な説明】
【０００８】
【図１】実施形態１の電気掃除機の第１掃除ユニットの左側面図である。
【図２】実施形態１の電気掃除機の第２掃除ユニットの左側面図である。
【図３】図１の第１掃除ユニットおよび図２の第２掃除ユニットを可撓性のホース３を介して接続した電気掃除機の構成を示す説明図である。
【図４】実施形態１の電気掃除機の構成を示す説明図である。
【図５】実施形態１の電気掃除機の別の構成を示す説明図である。
【図６】図５の電気掃除機のヒンジ部の構成を示す説明図である。
【図７】図６の電気掃除機のヒンジ部を接続パイプに沿って上側から見たときのヒンジ部の構成を示す説明図である。
【図８】実施形態２の電気掃除機のヒンジ部を接続パイプに沿って上側から見たときのヒンジ部の構成を示す説明図である。
【図９】実施形態３の電気掃除機のヒンジ部を接続パイプの側面から見たときのヒンジ部の構成を示す説明図である。
【発明を実施するための形態】
【０００９】
本発明の電気掃除機は、可撓性のホースを介して接続された第１掃除ユニットおよび第２掃除ユニットからなる電気掃除機であって、前記第１掃除ユニットは、吸込口体と、前記吸込口体に接続した接続パイプと、ハンドルとを備え、前記第２掃除ユニットは、前記吸込口体から空気を吸引する電動送風機と、前記電動送風機を駆動する電源部と、車輪とを備え、前記第１掃除ユニットおよび前記第２掃除ユニットは、可撓性のホースを介して接続され、前記接続パイプは、前記吸込口体の動きに合わせて前記第２掃除ユニットを着脱可能に牽引保持する牽引保持部を備え、前記牽引保持部は、前記吸込口体の進行方向に対して水平方向に回動可能に前記第２掃除ユニットを牽引することを特徴とする。
【００１０】
本発明の電気掃除機は、「第１掃除ユニット」が集塵部を備えるものであっても、あるいは「第２掃除ユニット」が集塵部を備えるものであってもよい。
なお、この発明の「牽引保持部」は、ヒンジ部２７および第１回転軸保持部によって実現される。
【００１１】
「電源部」とは、バッテリーか、あるいは電源コードを介して外部の商用電源から供給された電力を電気掃除機の各部分に供給する電源装置のいずれであってもよい。
【００１２】
また、本発明の電気掃除機は、次のように構成されてもよく、それらが適宜組み合わされてもよい。
【００１３】
（１）前記牽引保持部は、水平面に対して垂直方向に回動し、前記車輪が床面に接地したまま前記第２掃除ユニットを牽引するものであってもよい。
このようにすれば、掃除の最中にユーザーが接続パイプを縦方向に動かしたときも、第２掃除ユニットの車輪が床面に接地したまま安定して第２掃除ユニットを牽引することが可能となるため、ユーザーの手にかかる負担を軽減することができる。
【００１４】
（２）前記牽引保持部は、前記吸込口体の進行方向に対して水平方向の前記第２掃除ユニットの回動可能範囲を規制する第１規制部を備えたものであってもよい。
このようにすれば、ユーザーが掃除の最中に吸込口体の向きを急に変えることによって、第２掃除ユニットが横方向に傾いて転倒したり、ユーザーの手に大きな負担がかかったりすることを防止できる。
【００１５】
この発明の「第１規制部」は、第１回転軸保持部５１、第１ヒンジ部２７ａ並びに係止部ＬＰ１およびＬＰ２の協働によって実現される。
【００１６】
（３）前記牽引保持部は、水平面に対して垂直方向の回動可能範囲を規制する第２規制部を備えたものであってもよい。
このようにすれば、ユーザーが掃除の最中に接続パイプの向きを急に変えることによって、第２掃除ユニットが接続パイプに引っぱられて転倒したり、ユーザーの手に大きな負担がかかったりすることを防止できる。
【００１７】
この発明の「第２規制部」は、第１ヒンジ部２７ａおよび第２ヒンジ部２７ｂ並びに係合部ＬＰ３およびＬＰ４の協働によって実現される。
【００１８】
（４）前記車輪は、自走機能を有するものであってもよい。
このようにすれば、車輪が吸込口体の動きを補助して走行するため、ユーザーの手にかかる負担を軽減することができる。
【００１９】
（５）前記車輪は、水平方向に自在に移動可能な自在式の車輪であってもよい。
このようにすれば、吸込口体の動きに第２掃除ユニットが追随しやすくなるため、ユーザーの手にかかる負担を軽減することが可能となる。
【００２０】
以下、図面を参照しながらこの発明の電気掃除機の実施形態を詳説する。なお、以下の実施例の記載によって、この発明が限定されるものではない。
【００２１】
（実施形態１）
図１は、実施形態１の電気掃除機１００の第１掃除ユニット１の左側面図であり、図２は、実施形態１の電気掃除機１００の第２掃除ユニット２の左側面図であり、図３は、図１の第１掃除ユニット１および図２の第２掃除ユニット２を可撓性のホース３を介して接続した電気掃除機１００の構成を示す説明図であり、図４は、実施形態１の電気掃除機１００の構成を示す説明図であり、図５は、実施形態１の電気掃除機１００の別の構成を示す説明図である。
【００２２】
この発明の電気掃除機１００は、第１掃除ユニット１および第２掃除ユニット２を備える。
【００２３】
＜第１掃除ユニット１＞
第１掃除ユニット１は、第１掃除ユニット本体１０と、第１掃除ユニット本体１０に着脱可能に装着されるダストカップユニット１８とを備える。
【００２４】
第１掃除ユニット本体１０は、ダストカップユニット１８を保持する前後方向に長いダストカップ保持部１２と、後部に設けられた第１ハンドル１４と、第１ハンドル１４に設けられた複数のスイッチ１５ａ、１５ｂを有する第１操作部１５とを有する。
【００２５】
なお、図１において、前後左右上下の方向とは、第１ハンドル１４を握って水平方向に構えた状態の第１掃除ユニット１についての前後左右上下の方向を指すものとする。
【００２６】
また、第１掃除ユニット本体１０内には、前記複数のスイッチ１５ａ、１５ｂ、回路基板４２、第２掃除ユニット２の正負極端子と電気的に接触可能な端子４３（図示せず）等が収納されている。
【００２７】
ダストカップ保持部１２は、その内部に気流を通過させる前後方向に延びたパイプ部１２ａと、パイプ部１２ａの後端部から下方に向けて設けられた垂直壁部１２ｂとを有してなる。また、パイプ部１２ａにおいて、その前端部には前方開口状の第１吸気口１２ａ1が設けられている。
【００２８】
また、垂直壁部１２ｂには前方に開口する格子状の第２接続孔部１２ｂ1が設けられると共に、第１掃除ユニット本体１０の下方後端部には第１排気口１３が設けられている。
【００２９】
また、第１排気口１３の下部には、室内の壁などに取り付けたフックに引っ掛けることができるＵ形の第１フック掛け部材１６が設けられている。なお、第１フック掛け部材１６および第１ハンドル１４に肩掛けベルト９０を通して、肩掛けベルト９０を肩に掛けることもできる。
【００３０】
このようにすれば、ユーザーは、第１掃除ユニット１を肩に掛けた状態で掃除や移動を行うことができるため、第１掃除ユニット１を床上にうっかり落としてしまうことも回避できる。
【００３１】
なお、ダストカップユニット１８の一端部は、例えば、長手方向の一端部あるいは、高さ方向の一端部でよく、ダストカップの形状や大きさにより、一端部が任意の位置となる。
【００３２】
＜第２掃除ユニット２＞
第２掃除ユニット２は、第２掃除ユニット本体２０と、第２掃除ユニット本体２０の上部に設けられた第２ハンドル２４と、第２ハンドル２４の前方に設けられた複数のスイッチ２５ａ、２５ｂを有する第２操作部２５と、第２掃除ユニット本体２０の後部上方および後部下方にそれぞれ設けられた車輪２８および２９とを有する。
【００３３】
なお、図２において、前後左右上下の方向とは、第２ハンドル２４を握って下方にぶら下げた状態の第２掃除ユニット２についての前後左右上下の方向を指す。
【００３４】
また、第２掃除ユニット本体２０内には、電動送風機４１、回路基板５２、第２掃除ユニット本体２０に着脱可能に装着されるバッテリー３０と、バッテリー３０の正負極端子と電気的に接触可能な端子５３（図示せず）等が収納されている。
【００３５】
また、第２掃除ユニット本体２０の前端部には、第２吸気口２２が設けられ、後端部には、第２排気口２３が設けられている。
【００３６】
また、第２掃除ユニット本体２０の前方下部には、接続パイプ５（後述）に設けられた第１回転軸保持部５１と着脱可能に接続でき、第２掃除ユニット２を牽引保持するためのヒンジ部２７が設けられる。
【００３７】
ヒンジ部２７は、第２掃除ユニット本体２０の前方下部に設けられた第２ヒンジ部２７ｂと、第２ヒンジ部２７ｂの先端の第１ヒンジ保持部２７ｂ1に設けられた第１ヒンジ部２７ａとからなる。
【００３８】
第１ヒンジ部２７ａの先端には、第１回転軸保持部５１に設けられた第１回転軸ＡＲ１と係合するためのヒンジ軸受部２７ａ1が設けられている。
ヒンジ部２７の動作の詳細については後述する。
【００３９】
図３に示されるように、第１掃除ユニット１の第１排気口１３を第２掃除ユニット２の第２吸気口２２に可撓性のホース３を介して接続することにより、コンパクトかつ軽量なキャニスタータイプの電気掃除機１００を構成することが可能となる。
【００４０】
ここで、第１排気口１３および第２吸気口２２の接続部をそれぞれ雄（または雌）部および雌（または雄）部となるように形成した場合、ホース３の接続部は、第１排気口１３に接続する部分を雌（または雄）部、第２吸気口２２に接続する部分を雄（または雌）部となるように形成する。
【００４１】
キャニスタータイプの電気掃除機１００を構成したとき、図４に示されるように、ユーザーは、車輪２８および２９が床面に接するように第２掃除ユニット２を配置した状態で、第１掃除ユニット１の第１ハンドル１４を把持して掃除を行うことができる。
【００４２】
また、ユーザーは、一方の手で第１ハンドル１４を把持して第１掃除ユニット１を動かして掃除を行いつつ、もう一方の手で第２ハンドル２４を把持して第２掃除ユニット２を移動させることもできる。
【００４３】
このようにすれば、天袋や天井裏などの掃除の困難な場所においても、第２掃除ユニット２を片手で把持したまま、第１掃除ユニット１を天袋や天井裏内に差し入れて掃除を行うことが可能となる。
【００４４】
また、図４に示されるように、前方から吸込口体４、接続パイプ５、第１掃除ユニット１、可撓性のホース３および第２掃除ユニット２を接続することにより、キャニスタータイプの電気掃除機１００を構成することが可能となる。
【００４５】
図４において、第２掃除ユニット本体２０は、車輪２８および２９に支持される。ユーザーは、第１ハンドル１４を把持し、第１操作部１５を操作することによって掃除を行う。
また、第１操作部１５による操作の他、第２操作部２５の操作を受け付けるようにしてもよい。
【００４６】
ユーザーは、掃除する場所に応じて、第２ハンドル２４を把持して第２掃除ユニット２を持ち上げるか、あるいは第２掃除ユニット２のハンドル１５に通した肩掛けベルトを肩に掛けた状態で掃除を行うこともできる。
【００４７】
また、図５に示されるように、第２掃除ユニット２を接続パイプ５の下部に接続して吸込口体４と掃除機本体とが一体に移動するアップライトタイプの電気掃除機１００として使用することもできる。
【００４８】
（ヒンジ部２７の構成）
次に、図６および図７に基づき、第１実施形態のヒンジ部２７の構成および動作について説明する。
図６は、図５の電気掃除機１００のヒンジ部２７の構成を示す説明図である。図７は、図６の電気掃除機１００のヒンジ部２７を接続パイプ５に沿って上側から見たときのヒンジ部２７の構成を示す説明図である。
【００４９】
図６に示されるように、第１回転軸ＡＲ１を保持する第１回転軸保持部５１を接続パイプ５の下部に設け、第１回転軸ＡＲ１のまわりを回動するようにヒンジ軸受部２７ａ1を第１回転軸ＡＲ１に係合させる。
【００５０】
第１回転軸保持部５１は、隙間５１ａ2（図７参照）を広げるように第１回転軸先端５１ａ1を変形して第１回転軸保持部５１を接続パイプ５に係合させることができる可撓性を有する。
また、通常の掃除動作において第１回転軸保持部５１が接続パイプ５から外れないように、第１回転軸先端５１ａ1をネジ止め部５１ｂで固定する。
【００５１】
また、ヒンジ軸受部２７ａ1は、隙間２７ａ2を広げるように変形してヒンジ軸受部２７ａ1を第１回転軸ＡＲ１に係合させることができる可撓性を有する。  また、通常の掃除動作においてヒンジ軸受部２７ａ1が第１回転軸ＡＲ１から外れることはない強度を有する素材から構成される。
【００５２】
このようにして、ヒンジ軸受部２７ａ1を介して接続された第２掃除ユニット２を第１回転軸ＡＲ１のまわりに回動させることができるため、吸込口体４の進行方向に対して水平方向に第２掃除ユニット２を回動させつつ、吸込口体４に追随させることが可能となる。
【００５３】
なお、ヒンジ部２７の素材としては、例えば、エポキシ樹脂や、ポリエチレン樹脂、クロロプレンゴム、エラストマーなどがあげられる。
【００５４】
また、図７に示されるように、第１ヒンジ部２７ａを第２ヒンジ部２７ｂの先端の第１ヒンジ保持部２７ｂ1に設けられた第２回転軸ＡＲ２のまわりに回動可能に設ける。
【００５５】
このようにして、第１ヒンジ保持部２７ｂ1を介して接続された第１回転軸保持部５１を第２回転軸ＡＲ２のまわりに回動させることができるため、接続パイプ５が伸びる方向に対して垂直方向に第２掃除ユニット２を回動させることが可能となる。
【００５６】
これにより、第２掃除ユニット２とは独立に接続パイプ５を水平・垂直方向に回動することができるため、吸込口体４の動きに合わせて接続パイプ５を動かしたときのユーザーの手にかかる負担を軽減することができる。
【００５７】
また、図６に示されるように、ヒンジ軸受部２７ａが、第１回転軸ＡＲ１と同じ方向に移動可能にすることで、第２掃除機ユニットの動きに対しても追従の動きが柔軟に対応できるようになり、さらにユーザーに手にかかる負担を軽減することができる。
また、接続パイプ５に対して、第１回転保持部材５１が回転できるようにしてもよい。
【００５８】
（実施形態２）
次に、図８に基づき、実施形態２の電気掃除機１００について説明する。
図８は、実施形態２の電気掃除機１００のヒンジ部２７を接続パイプ５に沿って上側から見たときのヒンジ部２７の構成を示す説明図である。
【００５９】
図８に示されるように、実施形態２の電気掃除機１００において、第１回転軸保持部５１の予め定められた位置に係止部ＬＰ１およびＬＰ２を設ける。
【００６０】
第１回転軸ＡＲ１のまわりを第１ヒンジ部２７ａが右回りに回動したとき、予め定められた角度θ1で第１ヒンジ部２７ａの前端が係止部ＬＰ２によって係止される。
また、第１回転軸ＡＲ１のまわりの第１ヒンジ部２７ａの左回りの回動も、係止部ＬＰ１によって予め定められた角度θ3（角度θ1の左右対称角度）で係止される。
【００６１】
それゆえ、第２掃除ユニット２は、吸込口体４の進行方向に対して水平方向に予め定められた角度の範囲内で回動可能に牽引される。
【００６２】
また、係止部ＬＰ１およびＬＰ２は、吸込口体４の進行方向に対して水平方向の第２掃除ユニット２の回動可能範囲を、略１５°〜略１６５°の範囲内に規制するものであってもよい。
【００６３】
例えば、吸込口体４の進行方向を０°としたとき、吸込口体４の進行方向に対して第２掃除ユニット２の回動可能範囲を、左方向に略７．５°、右方向に略７．５°の範囲内に規制するものであってもよい。
また、例えば、吸込口体４の進行方向に対して前記第２掃除ユニット２の回動可能範囲を、左方向に略８２．５°、右方向に略８２．５°の範囲内に規制するものであってもよい。
【００６４】
このように、係止部ＬＰ１およびＬＰ２によって、吸込口体４の進行方向に対して前記第２掃除ユニット２の回動可能範囲を水平方向に予め定められた角度の範囲内に規制することで、ユーザーが掃除の最中に吸込口体４の向きを急に変えることによって、第２掃除ユニット２が横方向に傾いて転倒したり、ユーザーの手に大きな負担がかかったりすることを防止することができる。
【００６５】
（実施形態３）
次に、図９に基づき、実施形態２の電気掃除機１００について説明する。
図９は、実施形態３の電気掃除機１００のヒンジ部２７を接続パイプ５の側面から見たときのヒンジ部２７の構成を示す説明図である。
【００６６】
図９に示されるように、実施形態３の電気掃除機１００において、第１ヒンジ部２７ａおよび第２ヒンジ保持部２７ｂ1の上側の予め定められた位置にそれぞれ係合部ＬＰ３およびＬＰ４を設ける。
【００６７】
第２回転軸ＡＲ２のまわりで第１ヒンジ部２７ａが回動したとき、第１ヒンジ部２７ａおよび第２ヒンジ保持部２７ｂ1が互いに係合することにより、予め定められた角度θ2で第１ヒンジ部２７ａの回動が止まる。
【００６８】
また、第１ヒンジ部２７ａおよび第２ヒンジ保持部２７ｂ1の下側の予め定められた位置に互いに係合し合う係合部ＬＰ３およびＬＰ４を設けることにより、第１ヒンジ部２７ａが下側に回動したとき、予め定められた角度で第１ヒンジ部２７ａの回動が止まるようにすることもできる。
【００６９】
また、係合部ＬＰ３およびＬＰ４は、水平面に対して垂直方向の第２掃除ユニット２の回動可能範囲を、略３５°〜略９５°の範囲内に規制するものであってもよい。
【００７０】
例えば、水平面を０°としたとき、水平面に対して垂直方向の第２掃除ユニット２の回動可能範囲を、上方向に略１７．５°、下方向に略１７．５°の範囲内に規制するものであってもよい。
また、例えば、水平面に対して、水平面に対して垂直方向の第２掃除ユニット２の回動可能範囲を、上方向に略４７．５°、下方向に略４７．５°の範囲内に規制するものであってもよい。
【００７１】
このように、水平面に対して垂直方向の第２掃除ユニット２の回動可能範囲を予め定められた角度の範囲内に規制することで、ユーザーが掃除の最中に接続パイプ５の縦方向の向きを急に変えることによって、第２掃除ユニット２が前後方向に傾いて転倒したり、ユーザーの手に大きな負担がかかったりすることを防止することができる。
【００７２】
これにより、接続パイプ５は水平面に対して垂直方向に予め定められた角度の範囲内で回動したとき、第２掃除ユニット２の車輪２８および２９が床面に接地したまま安定して第２掃除ユニット２を牽引することが可能となり、ユーザーの手にかかる負担を軽減することができる。
【００７３】
（実施形態４）
実施形態１〜３において、車輪２８および２９の少なくとも一方が自走機能を有するようにしてもよい。
このようにすることで、車輪２８および２９の少なくとも一方が吸込口体４の動きを補助して走行するため、ユーザーの手にかかる負担を軽減することができる。
【００７４】
（実施形態５）
車輪２８および２９は、自在式のキャスターのように前後方向だけでなく３６０°水平方向に自在に移動できる自在式の車輪であってもよい。
このようにすることで、吸込口体４の動きに第２掃除ユニット２が追随しやすくなるため、ユーザーの手にかかる負担を軽減することが可能となる。
【００７５】
（実施形態６）
係止部ＬＰ１およびＬＰ２は、吸込口体４の進行方向に対して水平方向の第２掃除ユニット２の回動可能範囲を左右非対称に偏った角度の範囲内に規制するものであってもよい。また、左右一方向のみに回動するように規制するものであってもよい。
このようにすることで、ユーザーの利き手や掃除のクセに応じて、吸込口体４の動きに第２掃除ユニット２が追随しやすくなるため、ユーザーの手にかかる負担を軽減することが可能となる。
【００７６】
（実施形態７）
係合部ＬＰ３およびＬＰ４は、水平面に対して垂直方向の第２掃除ユニット２の回動可能範囲を上下非対称に偏った角度の範囲内に規制するものであってもよい。また、上下一方向のみに回動するように規制するものであってもよい。
このようにすることで、ユーザーの掃除のクセに応じて、接続パイプ５の動きに第２掃除ユニット２が追随しやすくなるため、ユーザーの手にかかる負担を軽減することが可能となる。
【００７７】
なお、上記の実施形態において、電動送風機４１を駆動する電源として、バッテリー３０を例示しているが、電源はこれに限られるものではない。例えば、電源コードを介して外部の商用電源から供給された電力を電気掃除機１００の各部分に供給する電源装置であってもよい。
【００７８】
また、開示された実施の形態は、全ての点で例示であって制限的なものではないと考えられるべきである。例えば、この発明の電気掃除機１００は、サイクロン方式の集塵部に限定されず、紙パック方式の集塵部にも適用可能である。この発明の範囲は上述の説明ではなくて特許請求の範囲によって示され、特許請求の範囲と均等の意味及び範囲内での全ての変更が含まれることが意図される。
【符号の説明】
【００７９】
１：第１掃除ユニット、    ２：第２掃除ユニット、    ３：ホース、    ４：吸込口体、    ５：接続パイプ、    １０：第１掃除ユニット本体、    １２：ダストカップ保持部、    １２ａ：パイプ部、    １２ａ1：第１吸気口、    １２ｂ：垂直壁部、    １３：第１排気口、    １４：第１ハンドル、    １５：第１操作部、    １５ａ，１５ｂ：スイッチ、    １６：第１フック掛け部材、    １８：ダストカップユニット、    ２２：第２吸気口、    ２３：第２排気口、    ２４：第２ハンドル、    ２５：第２操作部、    ２５ａ，２５ｂ：スイッチ、    ２７：ヒンジ部、    ２７ａ：第１ヒンジ部、    ２７ａ1：ヒンジ軸受部、    ２７ａ2：隙間、    ２７ｂ：第２ヒンジ部、    ２７ｂ1：第１ヒンジ保持部、    ２８，２９：車輪、    ３０：バッテリー、    ４１：電動送風機、    ４２：回路基板、    ５１：第１回転軸保持部、    ５１ａ1：第１回転軸保持部先端、    ５１ａ2：隙間、    ５１ｂ：ネジ止め部、    ５２：回路基板、    ４３，５３：端子、    ９０：肩掛けベルト、    ＡＲ１：第１回転軸、    ＡＲ２：第２回転軸、    Ｈ：円弧開口部、    ＬＰ１，ＬＰ２：係止部、    ＬＰ３，ＬＰ４：係合部、    θ：回転角、θ1，θ2，θ3：角度、    １００：電気掃除機
【図１】
2017158648.tif 000003
【図２】
2017158648.tif 000004
【図３】
2017158648.tif 000005
【図４】
2017158648.tif 000006
【図５】
2017158648.tif 000007
【図６】
2017158648.tif 000008
【図７】
2017158648.tif 000009
【図８】
2017158648.tif 000010
【図９】
2017158648.tif 000011